(57)【要約】【課題】短毛の発生を抑制できる電動バリカンを提供する。【解決手段】電動バリカン１００は、バリカン刃部１１１、バリカン本体部１２０、流入口１３２、風路１３３、および流出口１３４を有する。バリカン本体部１２０は、バリカン刃部１１１を駆動するモーター１２１を備える。流入口１３２は、バリカン刃部１１１に隣接する位置に形成されている。風路１３３は、バリカン刃部１１１およびバリカン本体部１２０の側面に沿って形成され、流入口１３２から流入した空気を流す。流出口１３４は、風路１３３の下流部１３５に位置し、風路１３３に流れる空気を排出する。また、電動バリカン１００は、風路１３３内における空気の流速を増大させる構造を有する。【選択図】図１
2020162660.tif 000002
【特許請求の範囲】
【請求項１】
バリカン刃部と、
前記バリカン刃部を駆動するモーターを備えるバリカン本体部と、
前記バリカン刃部に隣接する位置に形成された流入口と、
前記バリカン刃部および前記バリカン本体部の側面に沿って形成され、前記流入口から流入した空気を流すための風路と、
前記風路の下流部に位置し、前記風路に流れる空気が流出する流出口と、
前記風路内における空気の流速を増大させる構造と、を有する、電動バリカン。
【請求項２】
前記風路内において、その上流部よりも断面積が小さい狭窄部を前記構造として有する、請求項１に記載の電動バリカン。
【請求項３】
前記風路の外壁を構成する通風外壁部と、
前記通風外壁部の内面に沿って、互いに向かい合うように形成された一対の内壁部と、を有し、
前記一対の内壁部は、互いに他の方へ向けて滑らかに湾曲しながら張り出す一対の湾曲部を有し、前記狭窄部は、前記一対の湾曲部の間に位置する、請求項２に記載の電動バリカン。
【請求項４】
前記バリカン本体部を収容する本体ハウジングと、
前記本体ハウジングの底部に配置された電源スイッチと、を有する、請求項１〜３のいずれか１項に記載の電動バリカン。
【請求項５】
照明として機能する発光部をさらに有する、請求項１〜４のいずれか１項に記載の電動バリカン。
【発明の詳細な説明】
【技術分野】
【０００１】
本発明は、吸引式電動バリカンに関する。
【背景技術】
【０００２】
近年、高齢化社会の進行に伴い、病院、介護施設、家庭などにおいて、一日の大半をベッドに仰臥した状態で生活を送る人が増加している。このような、いわゆる「寝たきり」の人の場合、ベッド上で状態を起こしたままいることが困難であることが多く、人によっては、わずかに状態を起こすことすら困難であることもある。
【０００３】
一般に、ベッドに仰臥している人の調髪を行う場合、美容師または理容師（以下、「調髪者」という）は、調髪される人（以下、「被調髪者」という）の頭部を支えることにより、ベッドと被調髪者の頭部との間の空間を確保しながら被調髪者の調髪を行うことが多い。被調髪者がベッドに仰臥したままの状態の場合、ベッドの上面に対する被調髪者の後頭部の高さは、通常、高くても１５〜２０ｃｍ程度である。被調髪者に対する負担が大きくなることを考慮して、被調髪者の頭部をこれ以上の高さに持ち上げることは好ましくない。
【０００４】
また、病院または介護施設においては、被調髪者が認知症や精神疾患を患っている場合もある。このような場合、調髪者は、被調髪者の安全を考慮して、美容院や理容店で使用されている調髪用の鋏の代わりに吸引式電動バリカンを使用する。
【０００５】
吸引式電動バリカンは、電動バリカン本体に付属の吸引カバーを装着することにより、家庭用の電気掃除機に接続することができる。調髪者は、電気掃除機により吸引しながら電動バリカンで被調髪者の毛髪を刈るので、刈られた毛髪の多くが電気掃除機によって回収される（たとえば、下記の特許文献１を参照）。
【先行技術文献】
【特許文献】
【０００６】
【特許文献１】特開平１０−１１８３６０号公報
【発明の概要】
【発明が解決しようとする課題】
【０００７】
しかし、特許文献１の吸引式電動バリカンでは、電動バリカン本体と吸引カバーにより構成される風路内で乱流等が生じ、毛髪が十分に引き延ばされず、一度刈られて頭部に残った毛髪が再度バリカン刃へ吸い込まれることにより、複数回カットされる可能性がある。複数回カットされた毛髪は、たわみにくいほど短くなり、その弾性により周囲に跳ね飛び、飛散するおそれがある。また、短毛は、たわみにくいため、被調髪者の衣服等に残留すると皮膚を刺激し、不快感をもたらす問題もある。
【０００８】
本発明は、上記問題に鑑みてなされたものである。したがって、本発明の目的は、短毛の発生を抑制できる電動バリカンを提供することである。
【課題を解決するための手段】
【０００９】
本発明の上記目的は、下記によって達成される。
【００１０】
電動バリカンは、バリカン刃部、バリカン本体部、流入口、風路、および流出口を有する。バリカン本体部は、バリカン刃部を駆動するモーターを備える。流入口は、前記バリカン刃部に隣接する位置に形成されている。風路は、前記バリカン刃部および前記バリカン本体部の側面に沿って形成され、前記流入口から流入した空気を流す。流出口は、前記風路の下流部に位置し、前記風路に流れる空気を排出する。電動バリカンは、風路内における空気の流速を増大させる構造を有する。
【発明の効果】
【００１１】
本発明によれば、風路に吸い込まれた毛髪の先端部で空気の流速が最大となるので、一本一本の毛髪が十分に引き延ばされた状態でカットされる。したがって、一度刈られて頭部に残った毛髪が再度バリカン刃へ吸い込まれることにより、複数回カットされることが抑制され、短毛の発生を抑制できる。
【図面の簡単な説明】
【００１２】
【図１】一実施形態に係る電動バリカンの構成を例示する概略断面図である。
【図２】図１に示す電動バリカンの使用例を説明するための模式図である。
【図３】Ｘ方向から見た風路の構造を例示する模式図である。
【図４】第１の変形例を示す模式図である。
【図５】第２の変形例を示す模式図である。
【図６】第３の変形例を示す模式図である。
【図７】第４の変形例を示す模式図である。
【図８】第５の変形例を示す模式図である。
【発明を実施するための形態】
【００１３】
以下、添付した図面を参照しての本発明の電動バリカンの実施形態を説明する。なお、図中、同一の部材には同一の符号を用いた。また、図面の寸法比率は、説明の都合上誇張されており、実際の比率とは異なる場合がある。
【００１４】
（一実施形態）
＜電動バリカン１００＞
図１は、本発明の一実施形態に係る電動バリカンの構成を例示する概略断面図である。図１に示すように、電動バリカン１００は、バリカン刃ユニット１１０、バリカン本体部１２０、通風部１３０、筐体１４０、および発光部１５０を有する。
【００１５】
＜バリカン刃ユニット１１０＞
バリカン刃ユニット１１０は、バリカン刃部１１１および変換機構１１２を有する。バリカン刃部１１１は、櫛歯状に上下に形成された可動刃および固定刃（いずれも不図示）を備える。束状で固定刃の刃溝内に導入された毛髪は、固定刃により支持される。可動刃は、固定刃と接した状態で直線往復運動する。これにより、毛髪は、１本ずつ可動刃と固定刃の刃先エッジで挟み切りされる。
【００１６】
また、変換機構１１２は、バリカン本体部１２０のモーター１２１の回転軸の回転運動を直線往復運動へと変換する。
【００１７】
＜バリカン本体部１２０＞
バリカン本体部１２０は、モーター１２１、および電源部１２２を備える。モーター１２１および電源部１２２は、たとえば樹脂製の筐体１４０に収容されており、筐体１４０と通風部１３０とは、一体的に形成されている。筐体１４０は、バリカン本体部１２０を収容するとともにバリカン刃ユニット１１０の一部を覆う本体ハウジング１４１と、通風部１３０の外壁を構成する通風外壁部１４２とを含む。
【００１８】
モーター１２１は、その回転軸がバリカン刃ユニット１１０の変換機構１１２に連結され、変換機構１１２を回転駆動する。
【００１９】
電源部１２２は、本体ハウジング１４１の底部１４３とモーター１２１との間に配置され、図示しない電源回路および駆動回路を備える。電源回路は、外部から供給された電力を駆動回路に適した電圧および電流に変換し、供給する。駆動回路は、調髪者によって、電源スイッチ１２３が操作された場合、電源スイッチのオン／オフ状態に応じて、モーター１２１を駆動する。なお、電源部１２２は、充電式のバッテリーを備え、モーター１２１を駆動する電圧および電流をバッテリーから供給するように構成してもよい。
【００２０】
また、電源スイッチ１２３は、筐体１４０の本体ハウジング１４１の底部１４３に配置されており、調髪者は、筐体１４０を持った手の指（例えば小指）でオン／オフの操作ができる。電源スイッチ１２３は、例えば押しボタンスイッチである。
【００２１】
＜通風部１３０＞
通風部１３０は、接続部１３１、流入口１３２、風路１３３、および流出口１３４を有する。通風部１３０は、電気掃除機（不図示）によって、バリカン刃部１１１で切断された毛髪を流入口１３２から吸い込み、流出口１３４に排出する。流出口１３４は、接続部１３１と連結されており、流出口１３４から流出した空気および毛髪は、接続部１３１に接続された吸引ホース２００（図２を参照）を介して電気掃除機に吸収される。
【００２２】
流入口１３２は、筐体１４０におけるバリカン刃部１１１に隣接する位置に形成されている。流入口１３２の断面積Ａ０は、風路１３３の任意の位置における断面積Ａよりも小さいことが好ましい。Ａ０＜Ａとすることにより、流入口１３２において流入する空気の平均流速を、風路１３３の任意の位置における空気の平均流速よりも大きくすることができ、流入口１３２における毛髪の吸い込み効率を高めることができる。これにより、バリカン刃部１１１で切断された毛髪の一部がベッド上や被調髪者の頭皮等に飛散することを防止できる。
【００２３】
また、流入口１３２の断面積を小さくし、流入する空気の流速を大きくすることにより、バリカン刃部１１１を効率的に冷却することができる。
【００２４】
風路１３３は、流入口１３２から流出口１３４へ至る、本体ハウジング１４１と通風外壁部１４２との間の空間に形成された管状の空気の通路であり、バリカン刃部１１１およびバリカン本体部１２０の一側面に沿って形成されている。風路１３３は、バリカン刃部１１１近傍に形成された流入口１３２からモーター１２１側面上に形成された流出口１３４へ向けて湾曲した形状に形成されている。
【００２５】
このように、風路１３３がバリカン刃部１１１およびバリカン本体部１２０の一側面に沿って形成されているので、流入口１３２から流入した空気は、バリカン刃部１１１およびバリカン本体部１２０に接触して熱を奪う。その結果、バリカン刃部１１１およびバリカン本体部１２０は冷却される。本実施形態の風路１３３の構造の詳細については後述する。
【００２６】
流出口１３４は、風路１３３の下流部１３５に位置し、バリカン本体部１２０の側面上に形成され、流入口１３２から流入した空気がバリカン本体部１２０の側面に沿って流れる方向と同じ方向に空気を流出させる。
【００２７】
また、電動バリカン１００は、筐体１４０に配置され、照明として機能する発光部１５０を有する。発光部１５０は、たとえば、通風部１３０の流入口１３２付近に配置され、ＬＥＤなどの発光素子を備えうる。ＬＥＤは、バリカン刃部１１１の刃先を照らすように光の照射方向が調整されている。調髪者は、発光部１５０からの照射光より、刃先および被調髪者３００の毛髪を照らしながら調髪を行えるので、たとえば、部屋の電気照明の陰になる後頭部の調髪を容易に行える。
【００２８】
＜電動バリカン１００の使用例＞
図２は、図１に示す電動バリカン１００の使用例を説明するための模式図である。病院、介護施設等における寝たきりの被調髪者３００は、ベッド４００の上に仰臥した状態で調髪者によって調髪される。ベッド４００の上面４０１と被調髪者３００の後頭部との間の距離、すなわち、被調髪者３００の頭部の高さＨ２は、通常高くても１５〜２０ｃｍ程度である。本実施形態の電動バリカン１００の全長は１５ｃｍ程度であるので、調髪者は、電動バリカン１００を使用して容易に被調髪者３００の調髪を行うことができる。また、接続部１３１において、吸引ホース２００をベッド４００の上面４０１に沿う方向に延ばせるので、ベッド４００と吸引ホース２００とが干渉することが少ない。
【００２９】
＜風路１３３の構造＞
図３は、Ｘ方向から見た風路１３３の構造を例示する模式図である。筐体１４０は、通風外壁部１４２の内面に沿って、互いに向かい合うように形成された一対の内壁部１６０，１７０を有する。内壁部１６０は、第１端部１６１、湾曲部１６２、および第２端部１６３を含み、内壁部１７０は、第１端部１７１、湾曲部１７２、および第２端部１７３を含む。内壁部１６０，１７０は、Ｘ方向に所定の厚みを有し、風路１３３の一部を構成する。上記厚みは、例えば５〜１５ｍｍ程度であることが好ましい。
【００３０】
内壁部１６０，１７０は、第１端部１６１，１７１において、それぞれ通風外壁部１４２の内面と接し、湾曲部１６２，１７２において互いに他の方へ向けて滑らかに湾曲しながら張り出す。これにより、内壁部１６０，１７０間の距離は、湾曲部１６２，１７２において最短のＬ２となる。湾曲部１７２，１７２によって風路１３３が狭窄になった狭窄部１３６の断面積Ａ２は、距離Ｌ２に比例する。また、内壁部１６０，１７０は、第２端部１６３，１７３において再び通風外壁部１４２の内面と接し、接続部１３１の一部を構成する。
【００３１】
一方、流入口１３２に近い、風路１３３の上流部１３７の断面積Ａ１は、通風外壁部１４２の内面間の距離Ｌ１に比例する。風路１３３が、断面が矩形状の管路であり、Ｘ方向の長さ（上記厚みに対応）が風路１３３の上流から下流に渡り概ね一定であるとすれば、Ｌ１＞Ｌ２であるので、Ａ１＞Ａ２となる。
【００３２】
このように、風路１３３は、風路１３３の上流部１３７から下流部１３５へ至る空気流の経路に、風路１３３の断面積Ａ２が上流部１３７における断面積Ａ１よりも小さい狭窄部１３６を有する。
【００３３】
単位時間内に風路１３３内の断面積Ａを通過する空気の流量Ｑは、風路１３３内の場所によらず一定である。したがって、流量Ｑ＝風路１３３の断面積Ａ×流速Ｖの関係から、狭窄部１３６における空気の流速Ｖ２は、上流部１３７における空気の流速Ｖ１よりも大きく、風路１３３内において最大となる。
【００３４】
なお、断面積Ａ１，Ａ２は、Ｖ２に基づいて算出されるレイノルズ数Ｒｅが、限界レイノルズ数を超えないように設定される。また、内壁部１６０，１７０は、流線型の形状に形成され、風路１３３内の空気流に対し、渦や乱流の発生を抑制し、つねに流体力学における層流状態を維持できる。
【００３５】
本実施形態では、流入口１３２から吸い込まれた毛髪の先端部（毛先）に対応する位置に狭窄部１３６が形成されることが好ましい。例えば、毛髪を５ｃｍ程度カットすることを想定している場合、特に限定されるものではないが、狭窄部１３６は流入口１３２から風路１３３に沿って概ね４〜６ｃｍ程度の位置にあることが好ましい。
【００３６】
このように、風路１３３が上流部１３７から下流方向に向けてくびれて細くなる構造であることにより、風路１３３を流れる毛髪に対して、先端部に向かって空気の流速が大きくなる。すなわち、電動バリカン１００は、風路１３３内における空気の流速を増大させる構造を有する。したがって、風路１３３に吸い込まれる毛髪の一本一本が、先端部から直線状に引っ張られるので、バリカン刃部１１１は、毛髪が十分に引き延ばされた状態でカットすることができる。
【００３７】
本発明者は、内壁部１６０，１７０、特に湾曲部１６２，１７２の最適な形状を決定するため、通風外壁部１４２に透明の樹脂を使用して形成された電動バリカン１００を試作し、毛髪を吸引する実験を繰り返し行った。毛髪の挙動の確認は、透明な通風外壁部１４２を通して風路１３３をビデオカメラで撮影・録画したものを通常速度／スローで再生することにより行った。
【００３８】
そして、図３に示すような最適な内壁部１６０，１７０を使用した電動バリカン１００にて、透明な通風外壁部１４２を通して風路１３３をビデオカメラによって撮影し、毛髪一本一本の挙動を確認した。その結果、風路１３３内の毛髪一本一本が直線状に引き延ばされ、風路１３３を流れる空気流が層流状態であることを確認した。
【００３９】
（変形例）
図４〜図８は、第１〜５の変形例を示す模式図である。図４は、Ｚ方向から見た風路１３３の構造を示す断面図であり、図５〜図８はＸ方向から見た風路１３３の構造を示す断面図である。
【００４０】
上述の例では、通風外壁部１４２の内面にそれぞれ湾曲部１６２，１７２を有する一対の内壁部１６０，１７０を形成することにより、風路１３３の上流部１３７から下流部１３５へ至る空気流の経路に狭窄部１３６を設け、風路１３３内において空気の流速を増大させる場合について説明した。しかし、本実施形態は、このような場合に限定されない。
【００４１】
例えば、上述の図３の湾曲部１６２，１７２を有する一対の内壁部１６０，１７０を形成する代わり、あるいは内壁部１６０，１７０を形成するとともに、図４に示すように、本体ハウジング１４１および／または通風外壁部１４２のＸ方向の厚みを調整することにより、風路１３３の上流部１３７から下流部１３５へ至る空気流の経路に狭窄部１３６を設けるようにしてもよい。図４には、本体ハウジング１４１にＸ方向に厚みの厚い部分１４４を有する場合について例示されている。
【００４２】
また、図５に示すように、狭窄部１３６が流出口１３４付近に配置されていてもよい。このような構成では、流出口１３４付近の流速Ｖ３が最大となる。
【００４３】
また、図６に示すように、内壁部は必ずしも両側に（一対で）形成されている必要はなく、片側のみに内壁部１７０が形成されていてもよい。このような構成では、狭窄部１３６において流速Ｖ４が最大となる。
【００４４】
また、図７および図８に示すように、内壁部１６０，１７０は、必ずしも滑らかな湾曲部を有している必要はなく、Ｚ方向に沿って直線的な壁体や断面が矩形状の構造であってもよい。
【００４５】
さらに、本実施形態は、狭窄部１３６を設けることにより、風路１３３内において空気の流速を増大させる場合に限定されない。例えば、毛髪を吸い込むための流入口１３２以外に、電動バリカン１００の外部から風路１３３内に空気を吸い込むための横穴を設けることにより、単位時間あたりに風路１３３内に吸い込まれる空気の流量を実質的に増加させることで、風路１３３内を流れる空気の流速を速くするように構成してもよい。すなわち、横穴を設けることにより、単位時間あたりに流入する空気が通過する断面積が増加する一方で、風路１３３内において空気が通過する断面積は変わらないため、風路１３３内の空気の流速は増大する。なお、横穴は、風路１３３の上流部１３７に設けられることが好ましいが、風路１３３のいずれの場所に設けられてもよい。また、横穴は複数個設けられてもよい。
【００４６】
以上で説明した本実施形態の電動バリカン１００によれば、風路１３３に吸い込まれた毛髪の先端部で空気の流速が最大となるので、一本一本の毛髪が十分に引き延ばされた状態でカットされる。したがって、一度刈られて頭部に残った毛髪が再度バリカン刃へ吸い込まれることにより、複数回カットされることが抑制され、短毛の発生を抑制できる。
【００４７】
以上のとおり、実施形態において、本発明の電動バリカン１００を説明した。しかしながら、本発明は、その技術思想の範囲内において当業者が適宜に追加、変形、および省略することができることはいうまでもない。
【符号の説明】
【００４８】
１００  電動バリカン、
１１０  バリカン刃ユニット、
１１１  バリカン刃部、
１１２  変換機構、
１２０  バリカン本体部、
１２１  モーター、
１２２  電源部、
１２３  電源スイッチ、
１３０  通風部、
１３１  接続部、
１３２  流入口、
１３３  風路、
１３４  流出口、
１３５  風路の下流部、
１３６  狭窄部、
１３７  風路の上流部、
１４０  筐体、
１４１  本体ハウジング、
１４２  通風外壁部、
１４３  本体ハウジングの底部、
１５０  発光部、
１６０，１７０  内壁部、
１６１，１７１  第１端部、
１６２，１７２  湾曲部、
１６３，１７３  第２端部、
２００  吸引ホース。
【図１】
2020162660.tif 000003
【図２】
2020162660.tif 000004
【図３】
2020162660.tif 000005
【図４】
2020162660.tif 000006
【図５】
2020162660.tif 000007
【図６】
2020162660.tif 000008
【図７】
2020162660.tif 000009
【図８】
2020162660.tif 000010
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
バリカン刃部と、
前記バリカン刃部を駆動するモーターを備えるバリカン本体部と、
前記バリカン刃部に隣接する位置に形成された流入口と、
前記バリカン刃部および前記バリカン本体部の側面に沿って形成され、前記流入口から流入した空気を流すための風路と、
前記風路の下流部に位置し、前記風路に流れる空気が流出する流出口と、
前記風路内における空気の流速を増大させ、前記風路内において、その上流部および前記流出口よりも断面積が小さい狭窄部と、を有する、電動バリカン。
【請求項２】
前記風路の外壁を構成する通風外壁部と、
前記通風外壁部の内面に沿って、互いに向かい合うように形成された一対の内壁部と、を有し、
前記一対の内壁部は、互いに他の方へ向けて滑らかに湾曲しながら張り出す一対の湾曲部を有し、前記狭窄部は、前記一対の湾曲部の間に位置する、請求項１に記載の電動バリカン。
【請求項３】
前記バリカン本体部を収容する本体ハウジングと、
前記本体ハウジングの底部に配置された電源スイッチと、を有する、請求項１または２に記載の電動バリカン。
【請求項４】
照明として機能する発光部をさらに有する、請求項１〜３のいずれか１項に記載の電動バリカン。
【手続補正２】
【補正対象書類名】明細書
【補正対象項目名】００１０
【補正方法】変更
【補正の内容】
【００１０】
電動バリカンは、バリカン刃部、バリカン本体部、流入口、風路、流出口、および狭窄部を有する。バリカン本体部は、バリカン刃部を駆動するモーターを備える。流入口は、前記バリカン刃部に隣接する位置に形成されている。風路は、前記バリカン刃部および前記バリカン本体部の側面に沿って形成され、前記流入口から流入した空気を流す。流出口は、前記風路の下流部に位置し、前記風路に流れる空気を排出する。狭窄部は、風路内における空気の流速を増大させ、前記風路内において、その上流部および前記流出口よりも断面積が小さい。
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
バリカン刃部と、
前記バリカン刃部を駆動するモーターを備えるバリカン本体部と、
前記バリカン刃部に隣接する位置に形成された流入口と、
前記バリカン刃部および前記バリカン本体部の側面に沿って形成され、前記流入口から流入した空気を流すための風路と、
前記風路の下流部に位置し、前記風路に流れる空気が流出する流出口と、
前記風路内における空気の流速を増大させ、前記風路内において、その上流部および前記流出口よりも断面積が小さい狭窄部と、を有し、
前記狭窄部は、前記流入口から前記流出口に至る、前記風路内の空気が流れる経路の１か所のみに設けられている、電動バリカン。
【請求項２】
前記風路の外壁を構成する通風外壁部と、
前記通風外壁部の内面に沿って、互いに向かい合うように形成された一対の内壁部と、を有し、
前記一対の内壁部は、互いに他の方へ向けて滑らかに湾曲しながら張り出す一対の湾曲部を有し、前記狭窄部は、前記一対の湾曲部の間に位置する、請求項１に記載の電動バリカン。
【請求項３】
前記バリカン本体部を収容する本体ハウジングと、
前記本体ハウジングの底部に配置された電源スイッチと、を有する、請求項１または２に記載の電動バリカン。
【請求項４】
照明として機能する発光部をさらに有する、請求項１〜３のいずれか１項に記載の電動バリカン。
【手続補正２】
【補正対象書類名】明細書
【補正対象項目名】００１０
【補正方法】変更
【補正の内容】
【００１０】
電動バリカンは、バリカン刃部、バリカン本体部、流入口、風路、流出口、および狭窄部を有する。バリカン本体部は、バリカン刃部を駆動するモーターを備える。流入口は、前記バリカン刃部に隣接する位置に形成されている。風路は、前記バリカン刃部および前記バリカン本体部の側面に沿って形成され、前記流入口から流入した空気を流す。流出口は、前記風路の下流部に位置し、前記風路に流れる空気を排出する。狭窄部は、風路内における空気の流速を増大させ、前記風路内において、その上流部および前記流出口よりも断面積が小さい。前記狭窄部は、前記流入口から前記流出口に至る、前記風路内の空気が流れる経路の１か所のみに設けられている。
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
バリカン刃部と、
前記バリカン刃部を駆動するモーターを備えるバリカン本体部と、
前記バリカン刃部に隣接する位置に形成された流入口と、
前記バリカン刃部および前記バリカン本体部の側面に沿って形成され、前記流入口から流入した空気を流すための風路と、
前記風路の下流部に位置し、前記風路に流れる空気が流出する流出口と、
前記風路内における空気の流速を増大させ、前記風路内において、その上流部および前記流出口よりも断面積が小さい狭窄部と、を有し、
前記狭窄部は、前記風路内において、互いに向かい合い他方へ向けて突出した一対の突出部の間に形成され、前記流入口から前記流出口に至る、前記風路内の空気が流れる経路の１か所のみに設けられている、電動バリカン。
【請求項２】
前記風路の外壁を構成する通風外壁部と、
前記一対の突出部として、前記通風外壁部の内面に沿って、互いに向かい合うように形成された一対の内壁部と、
を有し、
前記一対の内壁部は、互いに他の方へ向けて滑らかに湾曲しながら張り出す一対の湾曲部を有し、前記狭窄部は、前記一対の湾曲部の間に位置する、請求項１に記載の電動バリカン。
【請求項３】
前記バリカン本体部を収容する本体ハウジングと、
前記本体ハウジングの底部に配置された電源スイッチと、を有する、請求項１または２に記載の電動バリカン。
【請求項４】
照明として機能する発光部をさらに有する、請求項１〜３のいずれか１項に記載の電動バリカン。
【手続補正２】
【補正対象書類名】明細書
【補正対象項目名】００１０
【補正方法】変更
【補正の内容】
【００１０】
電動バリカンは、バリカン刃部、バリカン本体部、流入口、風路、流出口、および狭窄部を有する。バリカン本体部は、バリカン刃部を駆動するモーターを備える。流入口は、前記バリカン刃部に隣接する位置に形成されている。風路は、前記バリカン刃部および前記バリカン本体部の側面に沿って形成され、前記流入口から流入した空気を流す。流出口は、前記風路の下流部に位置し、前記風路に流れる空気を排出する。狭窄部は、風路内における空気の流速を増大させ、前記風路内において、その上流部および前記流出口よりも断面積が小さい。前記狭窄部は、前記風路内において、互いに向かい合い他方へ向けて突出した一対の突出部の間に形成され、前記流入口から前記流出口に至る、前記風路内の空気が流れる経路の１か所のみに設けられている。